(57)【要約】【課題】施工性、経済性に優れた建物の架構構造を提供する。【解決手段】平面視でＸ方向と、Ｘ方向に直交するＹ方向にそれぞれ延設される鉄筋コンクリート造の大梁２、３、９の互いの主筋の高さ位置を同一にして構築する。また、外周大梁２の主筋をループ状に配筋して構築する。【選択図】図１
2017089138.tif 000002
【特許請求の範囲】
【請求項１】
平面視でＸ方向と、Ｘ方向に直交するＹ方向にそれぞれ延設される鉄筋コンクリート造の大梁の互いの主筋の高さ位置を同一にして構築されていることを特徴とする建物の架構構造。
【請求項２】
請求項１記載の建物の架構構造において、
外周大梁の主筋をループ状に配筋して構築されていることを特徴とする建物の架構構造。
【発明の詳細な説明】
【技術分野】
【０００１】
本発明は、建物の架構構造に関し、特に大梁の構造に関する。
【背景技術】
【０００２】
従来、オフィスビルなどの中・高層建物には、大スパン化を図り、柱の少ない大空間を形成することができるため、例えば、図３に示すように、外周部１にＲＣ造の大梁２、中心部にＲＣ造のコアウォールを耐震壁として備えたコア部４を設け、コア部４と外周大梁２を大梁３で接合する構造形式（建物の架構構造）が多用されている（例えば、特許文献１参照）。
【先行技術文献】
【特許文献】
【０００３】
【特許文献１】特開２００２−２５６７２７号公報
【発明の概要】
【発明が解決しようとする課題】
【０００４】
しかしながら、上記従来の架構構造Ａにおいては、図３〜図５に示すように、平面視で互いに直交するＸ方向とＹ方向に延びる大梁２、３の接合部で互いの大梁２、３の上部主筋５同士、下部主筋６同士を上下に重なるようにする（上下にラップさせる）。このため、Ｘ方向とＹ方向に延びる大梁２、３は、互いの上部主筋５、下部主筋６を上下にずらすようにして構築することが必要になる。これにより、大梁２、３の施工、特に配筋、型枠設置等の作業に多大な労力を要する。
【０００５】
さらに、上記のようにＸ方向とＹ方向に延びる大梁２、３の上部主筋５、下部主筋６を上下にずらして構築することに加え、設備配管等を通す設備貫通孔７を外周大梁２に設けるようにしているため、大梁２の梁成が大きくなる。
【０００６】
本発明は、上記事情に鑑み、施工性、経済性に優れた建物の架構構造を提供することを目的とする。
【課題を解決するための手段】
【０００７】
上記の目的を達するために、この発明は以下の手段を提供している。
【０００８】
本発明の建物の架構構造は、平面視でＸ方向と、Ｘ方向に直交するＹ方向にそれぞれ延設される鉄筋コンクリート造の大梁の互いの主筋の高さ位置を同一にして構築されていることを特徴とする。
【０００９】
また、本発明の建物の架構構造においては、外周大梁の主筋をループ状に配筋して構築されていることが望ましい。
【発明の効果】
【００１０】
本発明の建物の架構構造においては、Ｘ方向とＹ方向にそれぞれ延設される大梁の互いの主筋（上部主筋同士、下部主筋同士）の高さ位置を同一にすることで、これら大梁（例えばＸ方向とＹ方向に延設される外周大梁）を断面形状を同一にして構築することが可能になる。
【００１１】
また、Ｘ方向とＹ方向に延設される大梁の互いの主筋の高さ位置を同一にして断面形状を同位置にし、且つ設備貫通孔を壁に設けるなどすれば、大梁の配筋の納まりがよく、且つ大梁主筋、スターラップのかぶり厚を確保しつつ梁成を小さくすることができる。
【００１２】
さらに、大梁をＰＣａ化した場合には、Ｘ方向、Ｙ方向とも同一製品で対応することも可能になる。
【００１３】
よって、本発明の建物の架構構造によれば、従来と比較し、シンプルな大梁の構造、ひいてはシンプルな架構構造を実現することができ、大梁の施工性、経済性を大幅に向上させることが可能になる。
【００１４】
また、本発明の建物の架構構造においては、Ｘ方向とＹ方向にそれぞれ延設される大梁の互いの主筋の高さ位置を同一にすることで、外周大梁のＸ方向とＹ方向の主筋を建物のコーナー部で連続するように配筋することができる。これにより、外周大梁の主筋をループ状に配筋することができ、配筋手間を軽減してさらなる施工性、経済性の向上を図ることが可能になる。
【００１５】
また、このように外周大梁のＸ方向とＹ方向の主筋をコーナー部で連続するようにして、外周大梁の主筋をループ状に配筋できることにより、コーナー部の柱を省略することも可能になる。これにより、さらに施工性、経済性を高めることが可能になる。
【図面の簡単な説明】
【００１６】
【図１】本発明の一実施形態に係る建物の架構構造を示す平断面図である。
【図２】図１のＸ１−Ｘ１線矢視図及びＹ１−Ｙ１線矢視図である。
【図３】従来の建物の架構構造を示す平断面図である。
【図４】（ａ）は図３のＹ１−Ｙ１線矢視図、（ｂ）は図３のＸ１−Ｘ１線矢視図である。
【図５】（ａ）、（ｂ）、（ｃ）は従来の建物の架構構造のＸ方向とＹ方向の大梁の接続部を示す図である。
【発明を実施するための形態】
【００１７】
以下、図１及び図２を参照し、本発明の一実施形態に係る建物の架構構造について説明する。
【００１８】
はじめに、本実施形態の建物Ｔは、例えばオフィスビルなどの中・高層建物であり、図１に示すように、外周部１が柱８と梁（外周大梁）２を一体化して形成され、この外周部１の内側の中心部にコア部４を設けて構築されている。また、コア部４は、梁（大梁、内周大梁９）と柱８とコアウォールによって構築されている。さらに外周部１とコア部４が梁（大梁）３で連結されている。
【００１９】
また、大梁２、３、９や柱８はＲＣ造（鉄筋コンクリート造）で構築されている。
【００２０】
一方、本実施形態の建物の架構構造Ｂにおいては、図１、図２に示すように、平面視でＸ方向と、Ｘ方向に直交するＹ方向にそれぞれ延設される鉄筋コンクリート造の大梁２、３、９の互いの主筋（上部主筋５同士、下部主筋６同士）の高さ位置を同一にして構築されている。
【００２１】
また、このようにＸ方向とＹ方向にそれぞれ延設される大梁２、３、９の互いの主筋５、６の高さ位置を同一にすることで、例えばＸ方向とＹ方向に延設される外周大梁２のＸ方向とＹ方向の大梁は、断面形状を同一にして形成されている。
【００２２】
さらに、本発明の建物の架構構造Ｂにおいては、外周大梁２の主筋（上部主筋５、下部主筋６）をループ状に配筋して構築されている。これにより、建物Ｔのコーナー部Ｔ１で外周大梁２のＸ方向とＹ方向に延びる大梁同士が連続的に繋がり、このコーナー部Ｔ１を隅切り納まりとして構築されている。
【００２３】
そして、上記構成からなる本実施形態の建物の架構構造Ｂにおいては、Ｘ方向とＹ方向にそれぞれ延設される大梁２、３、９の互いの主筋５、６の高さ位置を同一にすることで、これら大梁（例えばＸ方向とＹ方向に延設される外周大梁２）を断面形状を同一にして構築することが可能になる。
【００２４】
また、Ｘ方向とＹ方向に延設される大梁２、３、９の互いの主筋５、６の高さ位置を同一にして断面形状を同位置にし、且つ設備貫通孔７を壁に設けるなどすれば、大梁２、３、９の配筋の納まりがよく、且つ大梁主筋５、６、スターラップ１０のかぶり厚を確保しつつ梁成を小さくすることができる。
【００２５】
さらに、大梁２、３、９をＰＣａ化した場合には、Ｘ方向、Ｙ方向とも同一製品で対応することも可能になる。
【００２６】
よって、従来と比較し、シンプルな大梁の構造、ひいてはシンプルな架構構造Ｂを実現することができ、大梁の施工性、経済性を大幅に向上させることが可能になる。
【００２７】
また、本実施形態の建物の架構構造Ｂにおいては、Ｘ方向とＹ方向にそれぞれ延設される大梁２、３、９の互いの主筋５、６の高さ位置を同一にすることで、外周大梁２のＸ方向とＹ方向の主筋５、６を建物Ｔのコーナー部Ｔ１で連続するように配筋することができる。これにより、外周大梁２の主筋５、６をループ状に配筋することができ、配筋手間を軽減してさらなる施工性、経済性の向上を図ることが可能になる。
【００２８】
また、このように外周大梁２のＸ方向とＹ方向の主筋５、６をコーナー部で連続するようにして、外周大梁２の主筋５、６をループ状に配筋できることにより、コーナー部Ｔ１の柱８を省略することも可能になる。これにより、さらに施工性、経済性を高めることが可能になる。
【００２９】
以上、本発明に係る建物の架構構造の一実施形態について説明したが、本発明は上記の一実施形態に限定されるものではなく、その趣旨を逸脱しない範囲で適宜変更可能である。
【００３０】
例えば、本実施形態では、外周大梁及び柱で外周部を構築し、中心部にコア部を設けて建物が構成されているものとしているが、本発明に係る建物はＲＣ造の大梁を有する架構構造を備えていれば、必ずしも本実施形態のような構造形式に限定する必要はない。
【符号の説明】
【００３１】
１      外周部
２      外周大梁
３      大梁
４      コア部
５      上部主筋
６      下部主筋
７      設備貫通孔
８      柱
９      大梁
１０    スターラップ
Ａ      従来の建物の架構構造
Ｂ      建物の架構構造
Ｔ      建物
Ｔ１    コーナー部
【図１】
2017089138.tif 000003
【図２】
2017089138.tif 000004
【図３】
2017089138.tif 000005
【図４】
2017089138.tif 000006
【図５】
2017089138.tif 000007